【手続補正書】
【提出日】平成18年4月4日(2006.4.4)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  塵埃を吸引する電動送風機と、前記電動送風機の電力を検出する電力検出手段と、前記電動送風機を制御する制御手段と、所定の基準値と比較して前記電動送風機の電力等を制御するマイクロコンピュータと、前記所定の基準値を記憶可能な不揮発性メモリとを備え、前記電動送風機を所定の一定電力にて制御した際の前記電力検出手段の出力を前記不揮発性メモリに記憶させ、前記マイクロコンピュータは、該記憶値に基づいて前記電動送風機を制御するようにした電気掃除機。
【請求項２】  塵埃を吸引する電動送風機と、前記電動送風機の電力を検出する電力検出手段と、吸い込んだ塵埃の量を報知する報知手段と、前記電動送風機を制御する制御手段と、所定の基準値と比較して前記報知手段の報知ポイント、および電動送風機の電力等を制御するマイクロコンピュータと、前記所定の基準値を記憶可能な不揮発性メモリとを備え、前記電動送風機を所定の風量にて制御した際の前記電力検出手段の出力を前記不揮発性メモリに記憶させ、前記マイクロコンピュータは、該記憶値に基づいて前記報知手段或いは前記電動送風機を制御するようにした電気掃除機。
【請求項３】  電動送風機の両端に印加される電源電圧を検出する電圧検出手段を備え、基準となる電圧値を不揮発性メモリに予め記憶した請求項１または２記載の電気掃除機。
【請求項４】  電動送風機或いはその近傍の温度を検出する温度検出手段を備え、基準となる温度値を不揮発性メモリに予め記憶した請求項１または２記載の電気掃除機。
【発明の詳細な説明】
【０００１】
【発明の属する技術分野】
本発明は、マイクロコンピュータにより電動送風機の電力等を制御する電気掃除機に関するものである。
【０００２】
【従来の技術】
従来、この種の電気掃除機は図５に示すように構成していた。以下、その構成について説明する。
【０００３】
図５に示すように、電動送風機１は、直列に接続した制御手段２により制御され、制御手段２はマイクロコンピュータ３により制御するようにしている。マイクロコンピュータ３には電動送風機１の電力を検出する電力検出手段５と、商用電源４の電源電圧の変動を検出する電圧検出手段６と、周囲温度を検知する温度検出手段７とを接続し、予めマイクロコンピュータ３に書き込まれている基準電力、基準電圧および基準温度と比較して、電動送風機１の電力制御やごみ袋（図示せず）の交換時期を報知する報知手段８の報知時期を制御している。
【０００４】
【発明が解決しようとする課題】
このような従来の電気掃除機では、基準電力、基準電圧、基準温度等の基準値を予めマイクロコンピュータ３の中に書き込んでおかなければならず、書き込まれた値は中心値にする必要があり、多くの数の制御回路、または掃除機本体を生産する場合は、部品ばらつきや電動送風機１の電力ばらつき等を吸収することができず、また基準値の変更を要する場合には、マイクロコンピュータ３のプログラムを書き換えなければならないため、非常に時間がかかるという問題を有していた。
【０００５】
本発明は上記従来の課題を解決するもので、マイクロコンピュータにより制御するときの基準値を不揮発性メモリに書き込み、掃除機本体の生産と同時に基準値を設定し、部品ばらつきおよび電動送風機の電力ばらつきを吸収することを目的としている。
【０００６】
【課題を解決するための手段】
本発明は上記目的を達成するために、塵埃を吸引する電動送風機と、前記電動送風機の電力を検出する電力検出手段と、前記電動送風機を制御する制御手段と、所定の基準値と比較して前記電動送風機の電力等を制御するマイクロコンピュータと、前記所定の基準値を記憶可能な不揮発性メモリとを備え、前記電動送風機を所定の一定電力にて制御した際の前記電力検出手段の出力を前記不揮発性メモリに記憶させ、前記マイクロコンピュータは、該記憶値に基づいて前記電動送風機を制御するよう構成したものである。
【０００７】
これにより、マイクロコンピュータにより制御するときの電力検出手段の出力と比較する基準値を掃除機本体の生産時に設定することができ、部品ばらつきおよび電動送風機の電力ばらつきを吸収することができる。
【０００８】
【発明の実施の形態】
本発明の請求項１に記載の発明は、塵埃を吸引する電動送風機と、前記電動送風機の電力を検出する電力検出手段と、前記電動送風機を制御する制御手段と、所定の基準値と比較して前記電動送風機の電力等を制御するマイクロコンピュータと、前記所定の基準値を記憶可能な不揮発性メモリとを備え、前記電動送風機を所定の一定電力にて制御した際の前記電力検出手段の出力を前記不揮発性メモリに記憶させ、前記マイクロコンピュータは、該記憶値に基づいて前記電動送風機を制御するよう構成したものであり、マイクロコンピュータにより制御するときの基準値を不揮発性メモリに書き込むことにより、掃除機本体の生産と同時に基準値を設定することができ、部品ばらつきおよび電動送風機の電力ばらつきを吸収することができ、精度が高い制御をすることができるとともに、各種の情報を生産ラインで書き込むことができ、容易に変更することができる。
【０００９】
請求項２に記載の発明は、塵埃を吸引する電動送風機と、前記電動送風機の電力を検出する電力検出手段と、吸い込んだ塵埃の量を報知する報知手段と、前記電動送風機を制御する制御手段と、所定の基準値と比較して前記報知手段の報知ポイント、および電動送風機の電力等を制御するマイクロコンピュータと、前記所定の基準値を記憶可能な不揮発性メモリとを備え、前記電動送風機を所定の風量にて制御した際の前記電力検出手段の出力を前記不揮発性メモリに記憶させ、前記マイクロコンピュータは、該記憶値に基づいて前記報知手段或いは前記電動送風機を制御するようにしたことにより、掃除機本体の生産と同時に基準値を設定することができ、部品ばらつきおよび電動送風機の電力ばらつきを吸収することができる。また、ごみ袋に溜まったごみ量を報知する報知手段の報知ポイントのばらつきを吸収することができる。
【００１０】
請求項３に記載の発明は、上記請求項１または２に記載の発明において、電動送風機の両端に印加される電源電圧を検出する電圧検出手段を備え、基準となる電圧値を不揮発性メモリに予め記憶したものであり、電圧検出手段により検出した電圧と電動送風機の電力値とをマイクロコンピュータにより制御するときの基準値として不揮発性メモリに書き込むことにより、掃除機本体の生産と同時に基準値を設定することができ、部品ばらつきおよび電動送風機の電力ばらつき、電源電圧のばらつきを吸収することができる。
【００１１】
請求項４に記載の発明は、上記請求項１または２に記載の発明において、電動送風機或いはその近傍の温度を検出する温度検出手段を備え、基準となる温度値を不揮発性メモリに予め記憶したものであり、温度検出手段により検出した温度と電動送風機の電力値とをマイクロコンピュータにより制御するときの基準値として不揮発性メモリに書き込むことにより、掃除機本体の生産と同時に基準値を設定することができ、部品ばらつきおよび電動送風機の電力ばらつき、電動送風機のばらつきによる温度ばらつきをも吸収することができるとともに、運転音についても安定させることができ、さらに電動送風機の温度が高くなりすぎないようにすることができ、電動送風機の損傷を防止することができる。
【００１２】
【実施例】
以下、本発明の実施例について、図面を参照しながら説明する。
【００１３】
（実施例１）
図１に示すように、電力検出手段９は電流センサ等で構成し、電動送風機１０に直列に接続し、さらに制御手段１１を直列に接続している。制御手段１１はマイクロコンピュータ１２に接続され、マイクロコンピュータ１２には不揮発性メモリ１３を接続している。
【００１４】
不揮発性メモリ１３には、掃除機本体の生産時に、所定の一定風量にて電動送風機１０を制御したときの、電力検出手段９により検出した値をスイッチ１４を押す等の操作をすることにより書き込みができるようにするとともに、マイクロコンピュータ１２の動作時の任意のタイミングで不揮発性メモリ１３内の記憶内容を読むことができるようにしている。報知手段１５はごみ袋に溜まったごみの量を報知するものであり、マイクロコンピュータ１２に接続している。
【００１５】
上記構成において作用を説明する。まず、掃除機本体の生産時に、所定の一定風量（例えば、ごみ袋に溜まったごみの量を報知手段１５により報知する風量）に固定した状態で電動送風機１０を制御し、作業者がスイッチ１４を押すことにより電力検出手段９により検出した値を、マイクロコンピュータ１２により制御するときの基準値として、予め不揮発性メモリ１３に書き込んでおく。
【００１６】
つぎに、マイクロコンピュータ１２の動作時に現在の電力検出手段９の出力と不揮発性メモリ１３に書き込まれている記憶内容（基準値）とを比較し、各々の値が異なっている場合は、マイクロコンピュータ１２は報知手段１５の報知期間が適切になるように制御する。
【００１７】
したがって、部品や電動送風機１０の電力ばらつきを吸収するとともに、各種の情報（基準値）を掃除機本体の生産時に容易に変更することができる。また、ごみ袋に溜まったごみ量を報知する報知手段１５の報知ポイントのばらつきを吸収することができる。
【００１８】
（実施例２）
図２に示すように、電圧検出手段１６は、商用電源１７の電圧が変化すると変化の幅により異なった出力をマイクロコンピュータ１２に入力し、不揮発性メモリ１３に予め電圧検出手段１６により検出した値を記憶するように構成している。他の構成は上記実施例１と同じである。
【００１９】
上記構成において作用を説明する。まず、不揮発性メモリ１３に予め商用電源１７の変化に対応した電圧検出手段１６のデータと、掃除機本体の生産時に所定の一定風量（例えば、ごみ袋に溜まったごみの量を報知手段１５により報知する風量）にて電動送風機１０を制御したときの電力検出手段９のデータとを、マイクロコンピュータ１２により制御するときの基準値として、予め不揮発性メモリ１３に書き込んでおく。
【００２０】
つぎに、マイクロコンピュータ１２の動作時に現在の電圧検出手段１６の出力および電力検出手段９の出力と不揮発性メモリ１３に書き込まれている記憶内容（基準値）とを比較し、各々の値が異なっている場合は、マイクロコンピュータ１２は報知手段１５の報知期間が適切になるように制御する。
【００２１】
したがって、部品や電動送風機１０の電力ばらつきや、電源電圧のばらつきによる報知手段１５の報知ポイントのばらつきを補正することができる。
【００２２】
（実施例３）
図３に示すように、電力検出手段９は電流センサ等で構成し、電動送風機１０に直列に接続し、さらに制御手段１１を直列に接続している。制御手段１１はマイクロコンピュータ１２に接続され、マイクロコンピュータ１２には不揮発性メモリ１３を接続している。
【００２３】
不揮発性メモリ１３には、掃除機本体の生産時に、所定の一定電力にて電動送風機１０を制御したときの、電力検出手段９により検出した値をスイッチ１４を押す等の操作をすることにより書き込みができるようにするとともに、マイクロコンピュータ１２の動作時の任意のタイミングで不揮発性メモリ１３内の記憶内容を読むことができるようにしている。
【００２４】
上記構成において作用を説明する。まず、掃除機本体生産時に、所定の一定電力（例えば強運転時の開放電力）に固定した状態で電動送風機１０を制御し、スイッチ１４を押すことにより、電力検出手段９により検出した値を、マイクロコンピュータ１２により制御するときの基準値として、予め不揮発性メモリ１３に書き込んでおく。
【００２５】
つぎに、マイクロコンピュータ１２の動作時に現在の電力検出手段９の出力と不揮発性メモリ１３に書き込まれている記憶内容（基準値）とを比較し、各々の値が異なっている場合は、マイクロコンピュータ１２は制御手段１１に信号を出し、電動送風機１０の電力が適切になるように制御する。
【００２６】
したがって、部品や電動送風機１０の電力ばらつきによる掃除機本体運転時の電力ばらつきを一定にすることができるとともに、運転音についても安定させることができる。
【００２７】
（実施例４）
図４に示すように、温度検出手段１８は、例えば電動送風機１０の近傍に配置し、電動送風機１０の温度変化をマイクロコンピュータ１２に入力し、不揮発性メモリ１３に予め温度検出手段１８により検出した値を記憶するように構成している。他の構成は上記実施例３と同じである。
【００２８】
上記構成において作用を説明する。まず、不揮発性メモリ１３に予め電動送風機１０の温度の変化に対応した温度検出手段１８のデータと、掃除機本体生産時に所定の一定電力にて電動送風機１０を制御したときの電力検出手段９のデータとを、マイクロコンピュータ１２により制御するときの基準値として、予め不揮発性メモリ１３に書き込んでおく。
【００２９】
つぎに、マイクロコンピュータ１２の動作時に現在の温度検出手段１８の出力値および電力検出手段９の出力値と不揮発性メモリ１３に書き込まれている記憶内容（基準値）とを比較し、各々の値に対応するようにマイクロコンピュータ１２は制御手段１１に信号を出し、電動送風機１０の電力が適切になるように制御する。
【００３０】
したがって、電動送風機１０の電力ばらつきによる掃除機本体の運転時の電力ばらつきを一定にし、運転音についても安定させることができるとともに、電動送風機１０の温度が高くなりすぎないようにすることができ、電動送風機１０の損傷を防止することができる。
【００３１】
【発明の効果】
以上のように本発明の請求項１に記載の発明によれば、塵埃を吸引する電動送風機と、前記電動送風機の電力を検出する電力検出手段と、前記電動送風機を制御する制御手段と、所定の基準値と比較して前記電動送風機の電力等を制御するマイクロコンピュータと、前記所定の基準値を記憶可能な不揮発性メモリとを備え、前記電動送風機を所定の一定電力にて制御した際の前記電力検出手段の出力を前記不揮発性メモリに記憶させ、前記マイクロコンピュータは、該記憶値に基づいて前記電動送風機を制御するよう構成したから、マイクロコンピュータにより制御するときの電力検出手段の出力と比較する基準値を掃除機本体の生産時に設定することができ、部品ばらつきおよび電動送風機の電力ばらつきを吸収することができ、精度が高い制御をすることができるとともに、各種の情報を生産ラインで書き込むことができ、容易に変更することができる。
【００３２】
また、請求項２に記載の発明によれば、塵埃を吸引する電動送風機と、前記電動送風機の電力を検出する電力検出手段と、吸い込んだ塵埃の量を報知する報知手段と、前記電動送風機を制御する制御手段と、所定の基準値と比較して前記報知手段の報知ポイント、および電動送風機の電力等を制御するマイクロコンピュータと、前記所定の基準値を記憶可能な不揮発性メモリとを備え、前記電動送風機を所定の風量にて制御した際の前記電力検出手段の出力を前記不揮発性メモリに記憶させ、前記マイクロコンピュータは、該記憶値に基づいて前記報知手段或いは前記電動送風機を制御するようにしたことにより、掃除機本体の生産と同時に基準値を設定することができ、部品ばらつきおよび電動送風機の電力ばらつきを吸収することができる。また、ごみ袋に溜まったごみ量を報知する報知手段の報知ポイントのばらつきを吸収することができる。
【００３３】
また、請求項３に記載の発明によれば、電動送風機の両端に印加される電源電圧を検出する電圧検出手段を備え、基準となる電圧値を不揮発性メモリに予め記憶したから、電圧検出手段により検出した電圧と電動送風機の電力値とをマイクロコンピュータにより制御するときの基準値として不揮発性メモリに書き込むことにより、掃除機本体の生産と同時に基準値を設定することができ、部品ばらつきおよび電動送風機の電力ばらつき、電源電圧のばらつきを吸収することができる。
【００３４】
また、請求項４に記載の発明によれば、電動送風機或いはその近傍の温度を検出する温度検出手段を備え、基準となる温度値を不揮発性メモリに予め記憶したから、温度検出手段により検出した温度と電動送風機の電力値とをマイクロコンピュータにより制御するときの基準値として不揮発性メモリに書き込むことにより、掃除機本体の生産と同時に基準値を設定することができ、部品ばらつきおよび電動送風機の電力ばらつき、電動送風機のばらつきによる温度ばらつきをも吸収することができるとともに、運転音についても安定させることができ、さらに電動送風機の温度が高くなりすぎないようにすることができ、電動送風機の損傷を防止することができる。
【図面の簡単な説明】
【図１】
本発明の第１の実施例の電気掃除機のブロック回路図
【図２】
本発明の第２の実施例の電気掃除機のブロック回路図
【図３】
本発明の第３の実施例の電気掃除機のブロック回路図
【図４】
本発明の第４の実施例の電気掃除機のブロック回路図
【図５】
従来の電気掃除機のブロック回路図
【符号の説明】
９  電力検出手段
１０  電動送風機
１１  制御手段
１２  マイクロコンピュータ
１３  不揮発性メモリ
１５  報知手段